(57)【要約】【課題】断熱材の露出端面の吸水及びそれによる断熱性能の低下の問題がなく、また、施工時の目地詰めを不要とすることができる断熱材複合タイルを提供する。【解決手段】中空部１Ａを有したタイル本体１とこの中空部１Ａ内に設けられた断熱材２とを有する断熱材複合タイル１０。タイル本体１の端部に露呈している断熱材２の端部が、緻密質部２Ｂとなっている。緻密質部２Ｂは、断熱材２のそれ以外の発泡質部２Ａよりも低発泡倍率又は非発泡とされることにより緻密質となっていても良い。また、樹脂が含浸されることにより緻密質部２Ｂとなっているものであっても良い。【選択図】図１
2006045974.tif 000002
【特許請求の範囲】
【請求項１】
中空部を有したタイル本体と、該中空部内に設けられた断熱材とを有し、
該断熱材の端部がタイル本体の端部に露呈している断熱材複合タイルにおいて、
該断熱材の端部が緻密質となっていることを特徴とする断熱材複合タイル。
【請求項２】
タイル本体と、該タイル本体の裏側に設けられた断熱材とを有し、
該断熱材の端部がタイル本体の端部に露呈している断熱材複合タイルにおいて、
該断熱材の端部が緻密質となっていることを特徴とする断熱材複合タイル。
【請求項３】
請求項１又は２において、前記断熱材の端部がそれ以外の部分よりも低発泡倍率又は非発泡とされることにより緻密質となっていることを特徴とする断熱材複合タイル。
【請求項４】
請求項１ないし３のいずれか１項において、前記断熱材の端部は、樹脂が含浸されることにより緻密質となっていることを特徴とする断熱材複合タイル。
【請求項５】
請求項４において、前記タイル本体の端部にも樹脂が含浸されていることを特徴とする断熱材複合タイル。
【請求項６】
請求項３に記載の断熱材複合タイルを製造する方法において、
該タイル本体の端部に発泡中の断熱材と非親和性の平滑体を当てた状態で、該タイル本体内で前記断熱材の発泡・成形を行い、その後、該平滑体を除去することを特徴とする断熱材複合タイルの製造方法。
【発明の詳細な説明】
【技術分野】
【０００１】
本発明は、中空部を有したタイル本体と、この中空部内に設けられた断熱材とを有する断熱材複合タイル及びその製造方法に関するものである。
【背景技術】
【０００２】
図４（ａ），（ｂ）に示す如く、中空部１Ａ，３Ａを有した中空のタイル本体１，３の該中空部１Ａ，３Ａ内に発泡樹脂よりなる断熱材２を設けることにより、タイルの断熱性を向上させた断熱材複合タイル１０Ａ，１０Ｂが提供されている。また、図４（ｃ）に示す如く、断面コ字形のタイル本体１１の裏側、即ち、コ字形の凹溝部１１Ａに断熱材１２を設けた断熱材複合タイル２０Ａも提供されている。この断熱材複合タイル２０Ａは、裏側の断熱材１２の板面１２Ｍを施工面に当接して取り付けられる。
【０００３】
特開２００２−３０７８６号公報の第［００２０］段落には、中空のタイル本体の中空部内に発泡用樹脂液を注入し、タイルの左右の開口部をパネルで閉鎖した後、該樹脂液を発泡させることにより、中空部内に発泡樹脂を直接充填することが記載されている。なお、このパネルとしては、通常金属製のものが用いられている。
【０００４】
このような断熱材複合タイルにあっては、両端面に露出した断熱材が雨水等に晒されて吸水することで断熱性能が低下するという問題がある。上記特開２００２−３０７８６号公報では、この断熱材複合タイルを壁面に取り付ける際に、断熱材複合タイル同士の間の隙間（目地部）にモルタル等の目地材を充填して、この断熱材露出端面を被覆することにより、雨水の浸入を防止することが記載されている。
【特許文献１】特開２００２−３０７８６号公報
【発明の開示】
【発明が解決しようとする課題】
【０００５】
しかし、特開２００２−３０７８６号公報に記載されるような目地詰めを行っても、断熱材の吸水を十分に防止することはできない場合がある上に、目地詰めのための手間と時間を要し、施工面においても不利であった。
【０００６】
本発明は、断熱材の露出端面の吸水及びそれによる断熱性能の低下の問題がなく、また、施工時の目地詰めを不要とすることができる断熱材複合タイルと、その製造方法を提供することを目的とする。
【課題を解決するための手段】
【０００７】
本発明（請求項１）の断熱材複合タイルは、中空部を有したタイル本体と、該中空部内に設けられた断熱材とを有し、該断熱材の端部がタイル本体の端部に露呈している断熱材複合タイルにおいて、該断熱材の端部が緻密質となっていることを特徴とする。
【０００８】
本発明（請求項２）の断熱材複合タイルは、タイル本体と、該タイル本体の裏側に設けられた断熱材とを有し、該断熱材の端部がタイル本体の端部に露呈している断熱材複合タイルにおいて、該断熱材の端部が緻密質となっていることを特徴とする。
【０００９】
請求項３の断熱材複合タイルは、請求項１又は２において、前記断熱材の端部がそれ以外の部分よりも低発泡倍率又は非発泡とされることにより緻密質となっていることを特徴とする。
【００１０】
請求項４の断熱材複合タイルは、請求項１ないし３のいずれか１項において、前記断熱材の端部は、樹脂が含浸されることにより緻密質となっていることを特徴とする。
【００１１】
請求項５の断熱材複合タイルは、請求項４において、前記タイル本体の端部にも樹脂が含浸されていることを特徴とする。
【００１２】
請求項６の断熱材複合タイルの製造方法は、請求項３に記載の断熱材複合タイルを製造する方法において、該タイル本体の端部に発泡中の断熱材と非親和性の平滑体を当てた状態で、該タイル本体内で前記断熱材の発泡・成形を行い、その後、該平滑体を除去することを特徴とする。
【発明の効果】
【００１３】
本発明の断熱材複合タイルでは、断熱材の端部が緻密質となっているため、雨水等に晒されてもこの部分での吸水が防止され、吸水による断熱性能の低下が防止される。
【００１４】
請求項３の断熱材複合タイルによれば、断熱材の発泡成形時に断熱材の端部をそれ以外の部分よりも低発泡倍率又は非発泡とすることにより緻密質とすることができるため、断熱材の端部を緻密質とするための特別の作業が不要である。
【００１５】
請求項４の断熱材複合タイルによれば、断熱材の端部に樹脂を含浸することにより、容易に断熱材端部を所望の程度の緻密質とすることができ、施工現場において、断熱材複合タイルの切断端面への対応も容易である。
【００１６】
請求項５によれば、タイル本体の端部にも樹脂を含浸させることにより、タイル本体と断熱材との界面からの水の浸入をも防止することができる。
【００１７】
断熱材の端部を、それ以外の部分よりも低発泡倍率又は非発泡とすることにより緻密質とした断熱材複合タイルは、請求項６の方法により、タイル本体の端部に発泡中の断熱材と非親和性の平滑体を当てた状態で、タイル本体内で断熱材の発泡・成形を行い、その後、該平滑体を除去することにより製造することができる。この場合、平滑体が発泡成形途中の断熱材と接触することにより、この平滑体表面近傍での発泡が阻害され、この結果として端部が緻密質の断熱材が成形される。
【発明を実施するための最良の形態】
【００１８】
以下に図面を参照して本発明の断熱材複合タイル及びその製造方法の実施の形態を詳細に説明する。
【００１９】
図１，２は本発明の断熱材複合タイルの実施の形態を示す図であり、各々、（ａ）図は斜視図、（ｂ）図は（ａ）図のＢ−Ｂ線に沿う断面図である。図３は本発明の断熱材複合タイルの他の実施の形態を示す断面図である。
【００２０】
図１の断熱材複合タイル１０は、中空部１Ａを有したタイル本体１とこの中空部１Ａ内に設けられた断熱材２とを有し、タイル本体１の両端部に露呈している断熱材２の両端部が、緻密質部２Ｂとなっているものである。
【００２１】
図２の断熱材複合タイル２０は、断面コ字形のタイル本体１１と、このコ字形の凹溝部１１Ａに設けられた断熱材１２とを有し、タイル本体１１の両端部に露呈している断熱材１２の両端部が緻密質部１２Ｂとなっているものである。
【００２２】
この緻密質部２Ｂ，１２Ｂは、断熱材２，１２のそれ以外の発泡質部２Ａ，１２Ａよりも低発泡倍率又は非発泡とされることにより緻密質となっていても良い。また、樹脂が含浸されることにより緻密質部２Ｂ，１２Ｂとなっているものであっても良い。更に、低発泡倍率の部分に樹脂を含浸することにより緻密質部２Ｂ，１２Ｂとなっているものであっても良い。また、このように断熱材の端部に樹脂を含浸させる場合、図３に示す如く、タイル本体１の端部にも樹脂を含浸してタイル本体１の端部を樹脂含浸部１Ｂとしても良い。また、図２において凹溝を形成しているタイル本体１１から露呈している断熱材１２の全ての外面層が緻密質となっていても良い。即ち、断熱材１２のタイル本体１１と反対側の板面にも所定の厚さで緻密質層が形成されていても良い。
【００２３】
断熱材の端部を、それ以外の部分よりも低発泡倍率又は非発泡とすることにより緻密質とした断熱材複合タイルは、常法に従って、タイル本体１の中空部１Ａ内に発泡用樹脂液を注入して、この中空部１Ａ内で断熱材２を発泡成形するに当たり、タイル本体１の中空部１Ａ内に発泡用樹脂液を注入した後、タイル本体１の端部に発泡中の断熱材と非親和性の平滑体を当てた状態で断熱材の発泡・成形を行い、その後、この平滑体を除去することにより製造することができる。前述の如く、この平滑体を設けることにより、平滑体が発泡成形途中の断熱材と接触することにより、この平滑体表面近傍での発泡が阻害され、この結果として端部が緻密質の断熱材が成形される。
【００２４】
ここで、発泡中の断熱材と非親和性の平滑体としては、例えば、ポリ塩化ビニル、ポリ塩化ビニリデン、ポリエチレン等の無極性の合成樹脂体等を用いることができる。より簡便には、従来、通常の断熱材の発泡成形時にタイル本体の両端に当接される金属製のパネルの表面を、ポリ塩化ビニル、ポリ塩化ビニリデン、ポリエチレン等の樹脂フィルムで覆い、この樹脂フィルム面をタイル本体の端面に当接して断熱材の発泡成形を行うことにより、上記緻密質部を形成することができる。
【００２５】
また、予め、タイル本体１の中空部１Ａ内で発泡成形させた断熱材２の端部、更にはタイル本体１の端部に樹脂を含浸させる場合、この含浸用樹脂としては、ウレタン系塗料やシリコン系等の各種シーリング剤を用いることができる。
【００２６】
本発明において、断熱材２，１２の緻密質部２Ｂ，１２Ｂの厚さ（図１（ｂ），図２（ｂ）のＷ）は、断熱材複合タイルの形状や寸法、緻密質部２Ｂ，１２Ｂの形成方法によっても異なるが、通常の場合、０．５〜５ｍｍ程度とするのが好ましい。この緻密質部２Ｂ，１２Ｂの厚さＷが薄過ぎると緻密質部２Ｂ，１２Ｂを設けたことによる断熱材２，１２の端面の吸水防止効果を十分に得ることができず、厚過ぎると、相対的に発泡質部２Ａ，１２Ａの部分が減り、断熱性能が低下し、また緻密質部２Ｂ，１２Ｂが増加することにより、断熱材複合タイルの重量が増加したり、材料費が高くついたりして好ましくない。
【００２７】
更に、タイル本体１の端部にも樹脂を含浸させる場合、このタイル本体１の樹脂含浸部１Ｂの幅も上記緻密質部２Ｂの幅と同程度とすることが好ましい。
【００２８】
なお、本発明の断熱材複合タイルにあっては、断熱材の緻密質部の端面はタイル本体の端面と面一となるように構成されていることが好ましい。
【００２９】
本発明の断熱材複合タイルは、従来の断熱材複合タイルと同様に施工面に張り付けて施工することができる。その際、断熱材の端部が緻密となっていることにより、この部分での吸水が防止されるため、一般的には目地詰めは不要である。ただし、目地詰めを行っても良いことは言うまでもない。
【００３０】
目地詰めを行わずに本発明の断熱材複合タイルを施工した場合、断熱材の露出端面がタイル本体の施工時の前面側の色と同色ないし同系色（同色系で淡い色或いは濃い色）であると、この端面がタイル本体と一体として視認され、施工面において断熱材部分が目立たなくなる。断熱材の露出端面は黒色等の暗色系としても良い。
【００３１】
なお、本発明の断熱材複合タイルは、断熱材の端部を緻密質部としたこと以外は従来の断熱材複合タイルと同様の構成とすることができ、例えば、中空のタイル本体の形状についても、図１，３に示すような略正四角筒形状のものの他、図４（ｂ）に示すような略長四角筒形状のものであっても良い。また、断面コ字形のタイル本体についても図２に示す形状に何ら限定されるものではない。
【００３２】
断熱材の材料としても、従来の断熱材複合タイルに用いられているもので良く、ポリエチレン系樹脂、ポリスチレン系樹脂、ポリウレタン系樹脂、フェノール系樹脂等を用いることができる。
【図面の簡単な説明】
【００３３】
【図１】本発明の断熱材複合タイルの実施の形態を示す図であり、（ａ）図は斜視図、（ｂ）図は（ａ）図のＢ−Ｂ線に沿う断面図である。
【図２】本発明の別の実施の形態を示す図であり、（ａ）図は斜視図、（ｂ）図は（ａ）図のＢ−Ｂ線に沿う断面図である。
【図３】本発明の断熱材複合タイルの他の実施の形態を示す断面図である。
【図４】従来の断熱材複合タイルを示す断面図である。
【符号の説明】
【００３４】
１，３，１１  タイル本体
１Ｂ  樹脂含浸部
２，１２Ｂ  断熱材
２Ａ，１２Ａ  発泡質部
２Ｂ，１２Ｂ  緻密質部
１Ａ，３Ａ  中空部
１１Ａ  凹溝部
１０，１０ａ，１０Ａ，１０Ｂ，２０，２０Ａ  断熱材複合タイル
【図１】
2006045974.tif 000003
【図２】
2006045974.tif 000004
【図３】
2006045974.tif 000005
【図４】
2006045974.tif 000006